(57)【要約】  【課題】  実際に放送された番組構成で事前に準備された番組構成情報を再構成し、生放送番組などにおける番組内の流動編成に対応する。  【解決手段】  番組構成情報を事前に番組情報管理部２０へ登録し、番組放送中に用いられる各種制御信号を制御信号検知部１０が検出し、トピック特定部３０が制御信号の入力タイミングと番組情報管理部に登録されている番組構成情報からトピックを構成する素材の開始時刻とトピック内容を特定し、特定されたトピック名と開始時刻から実際の放送に即した番組構成情報を再構成して、メタデータの生成管理を行う。これより、事前データである番組構成情報を、番組構成情報通り実際の番組放送が行われなかった場合においても、実際の放送に即した情報で番組構成情報を自動的に再編成することが可能になる。【選択図】  図１
2005204159.tif 000002
【特許請求の範囲】
【請求項１】
番組放送を行う局システムであって、
番組放送を行う際に利用される番組スケジュールが管理登録される番組情報管理部と、
番組放送中に利用される制御信号の検知を行う制御信号検知部と、
検知された制御信号と番組スケジュールとを参照することによってトピックの内容を特定し、実際の開始時刻を検出するトピック特定部と、
特定されたトピック名とトピックの開始時刻から番組スケジュールを再編成するインデックス生成部とを具備し、
番組スケジュールを実際の番組放送に即した番組スケジュールに再編することを可能にするインデックス付与システム。
【請求項２】
前記トピック特定部は、前記制御信号のうち、スタジオカメラ切替信号とＶＴＲ映像切替信号とテロップ映像切替信号の内少なくとも１つ以上の制御信号の検知順序と、前記番組スケジュール情報上での制御信号の利用スケジュールとを参照しシーンの内容とシーンの階層レベルの内少なくとも１つ以上を比較することによって、当該制御信号が含まれるシーンを番組スケジュール情報上に存在する情報に特定する手法を具備することを特徴とする、請求項１に記載のインデックス付与システム。
【請求項３】
前記トピック特定部は、ＶＴＲ映像切替信号とテロップ映像切替信号のどちらかの制御信号を検知するＮ秒前以内にスタジオカメラ切替信号またはＶＴＲ映像切替信号の何れかの制御信号が検知されている場合に、シーンの切れ目を前記スタジオカメラ切替信号またはＶＴＲ映像切替信号何れかの検出時刻とすることを特徴とする、請求項２に記載のインデックス付与システム。
【請求項４】
前記トピック特定部は、ＶＴＲ映像切替信号とテロップ映像切替信号のどちらかの制御信号を検知するＮ秒前以内にスタジオカメラ切替信号またはＶＴＲ映像切替信号の何れかの制御信号が検知されない場合に、シーンの切れ目を前記ＶＴＲ映像切替信号とテロップ映像切替信号の検出時刻とすることを特徴とする、請求項２に記載のインデックス付与システム。
【請求項５】
前記トピック特定部は、ＶＴＲ映像切替信号とテロップ映像切替信号のどちらかの制御信号を検知するＮ秒前以内にスタジオカメラ切替信号またはＶＴＲ映像切替信号の何れかの制御信号が検知されない場合に、シーンの切れ目を直近の無音区間検出時刻とすることを特徴とする、請求項２に記載のインデックス付与システム。
【請求項６】
前記トピック特定部は、入力された制御信号が番組スケジュール情報上に記載されていない場合に、入力された制御信号が属するシーンが緊急挿入されたと判断し、当該シーンに緊急挿入属性を付与することを特徴とする、請求項２に記載のインデックス付与システム。
【請求項７】
前記トピック特定部は、入力された制御信号が番組スケジュール情報上に記載されていない場合に、入力された制御信号に紐付けられる素材情報を取得することによって、緊急挿入されたシーンに素材情報を付与することを特徴とする、請求項６に記載のインデックス付与システム。
【請求項８】
前記トピック特定部は、入力されるテロップ切替信号を検知し、映像に重畳されるテロップ映像を認識しテロップ記載内容をテキスト化する手段を備えた認識部を具備し、このテキスト化された情報を当該シーンに属性として付与することを特徴とする、請求項６に記載のインデックス付与システム。
【請求項９】
前記トピック特定部は、入力される音声信号を認識し発言内容をテキスト化する手段を備えた前記認識部を具備し、このテキスト化された情報を当該シーンに属性として付与することを特徴とする、請求項８に記載のインデックス付与システム。
【請求項１０】
前記インデックス生成部は、実際の番組放送に即したシーンのタイトル名と、当該シーンの開始時刻から構成される番組構成情報を生成することを特徴とする、請求項１に記載のインデックス付与システム。
【請求項１１】
前記インデックス生成部は、実際の番組放送に即した番組構成情報を生成し、作成した番組構成情報をＸＭＬ化することを特徴とする、請求項１０に記載のインデックス付与システム
【請求項１２】
前記インデックス生成部は、番組情報管理部から番組スケジュール情報を取得することによって番組スケジュール情報に記載されているテロップ内容、出演者名、原稿内容、キーワードのうち１つ以上の情報を実際の番組放送に即した番組構成情報に付与して生成することを特徴とする、請求項１０に記載のインデックス付与システム。
【請求項１３】
前記インデックス生成部は、トピックを構成する映像切替信号の種別を利用することにより、一つのトピック内の構成をさらに細分化した情報を番組構成情報に付与して生成することを特徴とする、請求項１０に記載のインデックス付与システム。
【請求項１４】
前記インデックス生成部は、実際の番組放送に即した番組構成情報を自動生成し、この番組構成情報を編集する手段を具備し、当該手段によって編集された番組構成情報をＸＭＬ化することを特徴とする、請求項１に記載のインデックス付与システム。
【請求項１５】
前記番組情報管理部は、前記インデックス生成部で生成された実際の番組放送に即した番組構成情報を再登録することによって、番組放送前に事前登録された番組スケジュール情報に上書きして管理することを特徴とする、請求項１に記載のインデックス付与システム。
【発明の詳細な説明】
【技術分野】
【０００１】
本発明の属する技術分野は、放送局システムの番組放送制作現場にて利用される番組スケジュール情報を実際の番組放送の構成に即した情報で再構成し、インデックスを自動的に付与するインデックス付与技術に関する。
【背景技術】
【０００２】
放送局において、番組を放送・収録する時、必ず番組構成表もしくは番組進行表といった番組を進めていく上でのスケジュールを示した情報を利用している。これらの情報は従来、非電子化資料として作成されることが多く、この資料中の情報を有効利用できていなかった。これに対して、スケジュール情報を電子化したものの従来例としては例えば特許文献１乃至４に示されたものがある。この中で、特許文献１のように、番組進行表をオーサリングツールで作成することによって電子化し、この番組進行表を利用した番組放送を行うことによって、番組進行表通りの放送を行うことが可能になる。また、特許文献４のように、番組進行表に記載される構成要素の順序情報やカメラのスイッチングパターン情報などを併用することにより番組放送中に何らかのインデックスを付与する手法などがあった。
【特許文献１】特開平１１−１４６３１９号公報
【特許文献２】特開平１１−１４６３２０号公報
【特許文献３】特開平１１−１４６３２１号公報
【特許文献４】特開２００２−１２４９２９号公報
【発明の開示】
【発明が解決しようとする課題】
【０００３】
１つの放送番組は、様々なシーンから構成されている。これらシーンを意味のある一つの単位にまとめたものがコーナーであり、コーナーは０個以上のトピック（コーナーを分割した場合の単位）から構成され、さらにトピックはサブトピック（トピックを分割した場合の単位）から構成されることもある。図２０は、１つの番組をシーン、コーナー、トピック、サブトピックとして分割した模式例であり、例えばニュース番組においては、コーナーとして「スポーツニュース」、トピックとして「プロ野球」、サブトピックとして「Ａチーム対Ｂチーム」などの単位として番組を構成することが考えられる（以下、「トピック」と言う表現は、コーナー及びサブトピックという単位での意味も含む）。
【０００４】
番組構成情報には、番組の各シーンの放送予定時刻だけでなく、番組を構成する素材（トピックやシーン）についての様々な情報が記述されており、この情報を放送映像に紐付けることにより、各トピックやシーンのメタデータ（放送番組などのコンテンツの識別子、名前、出演者、内容などを記述したデータをいう）を容易に生成することが可能になる。また、番組構成表は単なる番組素材の属性を既述するだけでなく、素材の論理的な構成（階層構造）をも表現しているので、番組構成情報を利用することにより、より詳しいインデックス付与が可能になると考えられる。しかし、ニュース番組などに代表される生放送番組において、番組構成情報通りに進行しない、進行できないことも少なくなく、重要なニュースの挿入やトピックの延長、差し替えなど、番組内の素材レベルでの流動編成が発生することも多い。従来技術では番組進行表通りに放送を行う場合には有効な技術であるが、進行表の時刻情報からの時間的なずれやトピックの差し替えが生じた場合には有効な技術とは言えなかった。
【０００５】
本発明は、かかる点に鑑みてなされたものであり、実際に放送された番組構成で事前に準備された番組構成情報を再構成し、生放送番組などにおける番組内の流動編成に対応することを目的とする。
【課題を解決するための手段】
【０００６】
本発明のインデックス付与システムは、番組放送において事前に作成される番組のスケジュールを表す番組スケジュール情報を、時間のずれや番組スケジュール情報に記載のない番組素材を放送することが生じうる実際の番組放送に即して再構成し、再構成された番組構成情報を基にメタデータを生成付与するシステムであって、各種制御信号の送信状況を検知し、その信号の種別を判断する制御信号検知部と、番組構成情報を登録管理しておく番組情報管理部と、制御信号の検知から現在放送されている映像が番組スケジュール情報上のどの部分に対応しているかを判断し、実際に当該トピックが放送されている時刻を検出するトピック特定部と、番組構成情報とトピック名とトピックの開始時刻とから番組構成情報を再構成し、メタデータ化を行うインデックス生成部とから構成される。
【０００７】
この構成によれば、番組スケジュール情報を事前に番組情報管理部へ登録し、番組放送中に用いられる各種制御信号を制御信号検知部が検出し、トピック特定部が制御信号の入力タイミングと番組構成情報管理部に登録されている番組スケジュール情報からトピックを構成する素材の開始時刻とトピック内容を特定し、特定されたトピック名と開始時刻から実際の放送に即した番組構成情報を再構成して、メタデータの生成管理を行う。このことにより、事前データである番組スケジュール情報を、番組スケジュール情報通り実際の番組放送が行われなかった場合においても、実際の放送に即した情報で番組構成情報を自動的に再編成することが可能になり、またこの再編成後の番組構成情報を利用することによって、放送コンテンツのメタデータ付与が人手の介在を無しに簡便に行うことができるようになる。
【発明の効果】
【０００８】
以上説明したように、ＶＴＲ切替信号などの制御信号を検知し、番組スケジュール情報と比較することによって、現在放送中の映像が番組スケジュール情報上ではどの部分に対応するのかを特定し、実際に放送中の番組映像と事前に作成された番組スケジュール情報との間の同期が実現される。これによって、ニュース番組などに代表される生放送番組でのコーナー・トピックの延長や短縮、移動、差し替えなどの流動編成に対応した実際の番組放送に即した番組構成情報を再構成することが可能になる。つまりは既存の番組スケジュール情報を生かしつつ、実際の番組放送スケジュールに即した情報に再編成することが自動的に行われるため、人手による番組構成情報およびメタデータの作成に比べて大幅な負荷削減が達成される。また番組スケジュール情報には、コーナーやトピックといったシーンの階層情報が表現されているため、従来は人手で行われていたコーナーやトピックの切れ目の判定、シーンの階層化といった作業をすることなく、自動的に階層表現が生成されるという大きなメリットが得られる。
【発明を実施するための最良の形態】
【０００９】
（実施の形態１）
本発明の骨子は、番組を放送する局システムにおいて、番組放送の事前に作成される番組スケジュール情報（番組構成表／番組進行表）を基に、番組収録放送時に映像切替やテロップ挿入などで利用される各種制御信号を検知し、番組スケジュールを取得して、現在放送されている映像が番組構成情報のどの部分に対応するのかを判定し、実際に放送されている番組に即した番組スケジュール（番組構成）に再編成し、この再編成された情報を基にメタデータを自動生成することである。
【００１０】
以下、本発明の実施の形態について、図面を参照して詳細に説明する。図１は、本発明の一実施の形態に係るインデックス付与システムのメインブロックの構成概略である。インデックス付与システム１は、制御信号検知部１０、番組情報管理部２０、トピック特定部３０、インデックス生成部４０から構成される。
【００１１】
図２は実際に放送局などでインデックス付与システムを適用する場合に考えられる放送システム構成図である。カメラの切替えやＶＴＲ映像の切替え制御、テロップ映像を発生させる切替えスイッチなどを一元管理する編集スイッチ５０がインデックス付与システム１の制御信号検知部１０に接続され、スタジオカメラ切替え信号、ＶＴＲ切替え信号、テロップ切替え信号などの各種制御信号の入力検知を制御信号検知部１０が行う。編集スイッチ５０にはスタジオカメラ５２０、ＶＴＲ制御機５０６、テロップ発生機５０４、中継制御機５０８などが同様に接続されている。また、番組情報管理部２０には、表示装置６０が接続される。制御信号検知部１０は、入力される各種制御信号の種別を入力される各種制御信号の種別を判別する。制御信号検知部１０に入力される制御信号は、例えばパケット化されて送信されており、上位８バイトに当該信号がどの種別であるのかを表す値（「ＶＴＲ」「テロップ」「カメラ」等記号で表された信号種別）が設定され、下位８バイトにその信号のシステム内での信号番号が付与されている。制御信号検知部１０は、この信号を信号種別と信号番号とに分離し、トピック特定部３０が解する形（例えば関数の引数に信号種別及び信号番号を指定する等）で通知する。
【００１２】
次に番組情報管理部２０の説明を行う。番組情報管理部２０は、放送番組のスケジュールを電子情報として登録管理する機能を持つ。具体的には、番組のスケジュール登録を受付けるスケジュール登録部２０１と、登録されたスケジュールを管理するスケジュール管理部２０２から構成される。またスケジュール管理部２０２はスケジュール編集手段を備え、表示装置６０と接続することにより、登録されたスケジュールを編集することや、直接スケジュールの入力も可能にする。図３は、この番組情報管理部２０にて管理されるニュース番組を題材にした番組スケジュールの一例である。番組スケジュールは、コーナー名、トピック名、サブトピック名、シーンの階層を表す階層レベル（例えばコーナーはレベル１、トピックはレベル２、サブトピックはレベル３と表現する）、カメラ切替えやＶＴＲ切替えなど信号種別とシステム内で用いられる素材番号とをＩＤ化した信号ＩＤ、放送予定時刻、テロップ名、などの項目から構成されており、これらの情報をスケジュール登録部２０１へ登録することによって管理することが可能になる。図３のようにスタジオカメラの切替やＶＴＲ映像の切替タイミング、テロップの挿入タイミングなどは予め決められており、この番組スケジュールにしたがって番組の収録・放送は進められる。なお、番組情報管理部２０で扱う番組スケジュールについて、図３で例示した項目以外でも、ＶＴＲ素材の内容既述やニュース原稿内容、コーナー担当者名などを管理対象項目として登録するとしてももちろん良い。
【００１３】
次にトピック特定部３０の説明を行う。トピック特定部３０は、制御信号検知部１０から通知される制御信号と番組情報管理部２０から取得する番組スケジュール情報から現在放送中のトピックが番組スケジュール上でどの部分に対応するかの判断を行う。トピック特定部３０は、図４で示すように制御信号検知部１０から通知される入力信号情報とスケジュール管理部２０２から取得する番組情報から当該入力信号がどのコーナー／トピック／サブトピックに属しているのかを判断する情報特定部３０１と、現在時刻を取得する現在時刻取得部３０２から構成される。情報特定部３０１はトピックの特定後、インデックス生成部４０に対してインデックス生成要求を行う。
【００１４】
次にインデックス生成部４０の説明を行う。インデックス生成部４０は、トピック特定部３０から要求されるインデックス生成要求に従い、実際の番組放送に即したスケジュールで番組構成表を再構成し、この再構成された番組構成表から番組放送に対するメタデータを生成付与する機能を持つ。
【００１５】
ここからは、番組放送時に利用される各種制御信号を検知・利用することにより、番組スケジュールを再編成する処理手順についての説明を行う。番組放送の収録・放送を行うに際し、番組を進行させるために必要なスケジュール情報を事前に準備しておくのが一般的であり、これを番組構成表または番組進行表などと呼ぶ。番組情報管理部２０のスケジュール登録部２０１に図３で示されるような一定形式で作成された番組スケジュール情報を登録することによって番組情報管理部２０にて当該番組のスケジュール情報が管理されるようになるが、表示装置６０をスケジュール管理部２０２に接続して番組スケジュールを編集できるようにしても良い。また、スケジュール管理部２０２に永続記憶装置を接続させ、一度登録されたスケジュール情報をデータベース化して記憶し、新規にスケジュール情報を作成する時に記憶済みのスケジュール情報を検索して再利用することや編集利用するなどの形態があっても良い。
【００１６】
番組放送で利用される制御信号には、スタジオで出演者などを撮影する１台以上のカメラをオンエア映像（実際に番組として放送される映像）として切替えるカメラ切替え信号や、複数の編集済みのＶＴＲから一つのＶＴＲ映像を選択しオンエア映像として切替えるＶＴＲ切替え信号や、画面や状況を説明する目的でスタジオカメラ映像やＶＴＲ映像に挿入するテロップの挿入切替えを行うテロップ切替え信号などが考えられる。制御信号検知部１０は、これらの各種制御信号を編集スイッチ５０から受信し、入力のあった信号の種別を判定する。既述の通り制御信号の実装例として、パケット化された信号の場合、パケット上位８バイトが制御信号の種別を表す文字列であり、下位８バイトがその信号のシステム内での信号番号を示す例が考えられる。例えば上位８バイトが「ＣＡＭＥＲＡ」「ＶＴＲ」「ＴＥＬＯＰ」等、信号の種別を表す文字列で、下位８バイトがシステム内で一意に特定できる数値を指定することにより、制御信号検知部１０は、入力された信号がどの種別の信号であって、さらに何番のＶＴＲ素材が選択されたのか、何番のテロップが挿入されたのかを判断することができる。つまり制御信号検知部１０が制御信号を検知した結果、上位８バイトに「ＶＴＲ」、下位８バイトが「１０」であった場合には、ＶＴＲ切替え信号を検知し１０番というシステム内ＩＤで管理されているＶＴＲ素材がオンエアされたことを示す。上記で制御信号の実装例としてパケット化された信号として説明を行ったが、この手法以外の実装例であってももちろん構わない。また、パケット化された制御信号を検知する場合であっても、信号種別や信号番号のパケット内でのそれぞれのビット列の長さ及び配置等は上記の例に限定するものではない。
【００１７】
ここからは、図６に示す処理フローチャートとあわせて説明を行う。ただし、実際の番組の放送は、コーナー／トピック／サブトピックを構成するシーンに利用される制御信号がスケジュール情報管理部２０２で管理される番組スケジュール情報に記載されている情報通り利用されることが前提となる（各々のコーナー／トピック／サブトピックの放送順序はスケジュール通りでなくても構わない）。また、コーナー／トピック／サブトピックの切れ目には、必ず何らかの制御信号（スタジオカメラ切替信号、ＶＴＲ切替信号、テロップ切替信号）が挿入されるものとする。
【００１８】
制御信号が入力されたことを通知されたトピック特定部３０は、情報比較部３０１が現在時刻取得要求を現在時刻取得部３０２に対して行う（Ｓ１１〜Ｓ１３）。そして、入力信号の信号種別を判定し（Ｓ１１）、カメラ切替え信号（Stc** ）であれば情報を保持して制御信号の入力待ちへ（Ｓ１５）、カメラ切替え信号以外（ＶＴＲ切替え信号、テロップ切替え信号等）であれば、スケジュール管理部２０２へスケジュール情報の参照を行う（Ｓ１６）。情報比較部３０１は、参照したスケジュール情報から当該信号が属するシーン内容及びシーン階層レベルを特定する（Ｓ１７，Ｓ１８）。ここで制御信号が属するシーン内容とは、コーナーやトピック、サブトピックのタイトル名でスケジュール管理部２０２から取得するスケジュール情報に記載されている情報であり、制御信号が属するシーン階層レベルとは、あるコーナーで当該制御信号が利用された場合はレベル１、あるトピックで利用された場合はレベル２、あるサブトピックで利用された場合はレベル３であると判定し、あるコーナー／トピック／サブトピック単位での開始時刻及び終了時刻の特定に用いる。
【００１９】
情報比較部３０１は、入力信号の属する特定したシーン内容と階層レベルを、直前に検知した入力信号の属するシーン内容及び階層レベルと同一か比較を行う（Ｓ１６）。同一である場合（Ｓ１９においてＹＥＳ）には、コーナー／トピック／サブトピックの切れ目の検出は行わずに情報の保持だけを行い（Ｓ１５）、信号入力待ち状態となる（Ｓ１１）。同一ではなかった場合（Ｓ１９においてＮＯ）は、スケジュール管理部２０２へスケジュール情報の問合せを行い（Ｓ２０）、取得したスケジュール情報から、当該入力信号の属するシーン内容と階層レベルと同一の制御信号セット（同一階層レベルで利用される信号ＩＤをまとめたもの）と、当該制御信号の前に検知されているカメラ切替え信号の組み合わせからコーナー／トピック／サブトピックの切れ目を判断し、該当カメラ切替え信号の検出時刻を前コーナー／トピック／サブトピックの終了時刻かつ現コーナー／トピック／サブトピックの開始時刻として特定する（Ｓ２２）。そしてその時刻がスケジュール情報上の番組終了時刻を超えている場合は、終了となる（Ｓ２３）。
図５はトピック特定部３０に入力された制御信号（カメラ切替信号、ＶＴＲ切替信号、テロップ切替信号）を信号ＩＤとして表し入力時刻とともに模式化した例である。図５ではＶＴＲ切替信号ＶＴＲ１０が時刻t0に検知され、続いて時刻t1にスタジオカメラ切替信号StC1、時刻t11 にテロップ切替信号TP1 、時刻t2にスタジオカメラ切替信号StC2、時刻t21 にテロップ切替信号TP2 、時刻t22 にテロップ切替信号TP3 、時刻t3にＶＴＲ切替信号ＶＴＲ1 、時刻t4にスタジオカメラ切替信号StC1が検知されたことを示している。図５に示した時刻に制御信号がトピック特定部３０に入力された場合の具体的なトピック特定処理動作について図３図６とあわせて説明する。まず最初の入力信号（ＶＴＲ１０）を受けた情報比較部３０１は時刻取得部３０２より現在時刻を取得（Ｓ１１〜Ｓ１３）し、信号種別判定処理にて当該信号がスタジオカメラ切替信号以外であることが判る（制御信号検知部１０からの入力信号通知の実装手法としては、関数の引数に信号種別や信号番号などを含んで通知することが考えられる）ので（Ｓ１４）、スケジュール管理部２０２への当該信号のシーン情報参照処理を行う（Ｓ１６）。スケジュール情報を参照することにより、信号ＶＴＲ１０はコーナー名「オープニング」で、シーン階層レベルが「１」ということが特定できる（Ｓ１７，Ｓ１８）。そしてＶＴＲ１０以前に信号は入力されていないため、シーン内容と階層レベルの比較対象が無く、新規のコーナーが始まったことが検知できる（Ｓ１９）。そしてスケジュール管理部２０２へのスケジュール情報の参照（Ｓ２０）、シーン階層レベルとシーン内容の特定（Ｓ２１）、コーナーの開始時刻の特定（Ｓ２・・２）処理を行う（ここの例ではＳ２０〜Ｓ２２は既に既知のため省略可能）。そして当該信号の検知時刻が番組の終了時刻を超えているかを確認（Ｓ２３）し、終了時刻を超えていないため、コーナー単位での情報（コーナー名、階層レベル、信号ＩＤ、信号の検知時刻）保持を行い（Ｓ２４）、信号入力待ち状態になる・・（Ｓ１１）。
【００２０】
次にスタジオカメラ切替信号StC1が入力されると、時刻を取得したあと（Ｓ１３）信号種別判定（Ｓ１４）により、時刻と信号ＩＤ情報が保持され（Ｓ１５）信号入力待ちになる（Ｓ１１）。同様にスタジオカメラ切替信号StC2も時刻情報とともに情報保持される。次にテロップ切替信号TP1 が時刻t11 に検知される・・（Ｓ１１〜Ｓ１３）。これは信号種別判定処理によりスケジュール管理部２０２へスケジュール情報の参照を実行し、信号TP1 が属するシーン内容がコーナー名「ニュース」、トピック名「事件Ａ」であり、シーン階層レベルが「２」であることが特定できる（Ｓ１４〜Ｓ１８）。信号TP1 の前に検知した信号ＶＴＲ１０の階層レベルが「１」であったことから、階層レベルが同一ではないため（Ｓ１９においてＮＯ）、スケジュール管理部２０２へスケジュール情報の参照を行う（Ｓ２０）。ここで図７はスケジュール管理部２０２から取得するスケジュール情報と情報比較部３０１で保持する情報との比較を図示したものである。図７に示すように、TP1 の属するトピックは、信号情報Stc1及びTP1 の順序で情報比較部３０１に保持されており、スケジュール情報上でこの組合わせに一致する部分を探し出す（Ｓ２１）。図７の例では信号TP1 が属するトピックはコーナー名・・「ニュース」、トピック名「事件Ａ」、トピック開始時刻「t1」であると特定される（Ｓ２２）。以降同様の処理を番組終了時刻まで繰り返し、コーナー／トピック／サブトピック単位での特定を行う。特定完了後の情報は、情報比較部３０１がインデックス生成部４０へインデックス生成要求を行うまでの間、保持している。
【００２１】
これによって、１つの番組内で予め放送されることが決まっているコーナー／トピック／サブトピックが、何らかの理由で放送順序がスケジュール通りに放送されないことや、時間的に延長、短縮などが発生する場合でも、コーナー／トピック／サブトピックを構成する各素材（制御信号）のスケジュールと実際の番組放送の素材とを比較することによって、実際に放送されている映像がどのトピックに対応するのかを特定し、それぞれの開始及び終了時刻を特定することが可能になる。
【００２２】
情報比較部３０１において番組内のコーナー／トピック／サブトピックの特定が完了すると、インデックス生成部４０へインデックスの生成要求を行う。
【００２３】
インデックスの生成要求を受けたインデックス生成部４０は、情報比較部３０１から受け取ったコーナー／トピック／サブトピック特定情報から実際の番組放送に即した番組構成表を再構成する（表形式等、人間が解する形に成形する）。図８はインデックス生成部４０で作成される番組構成表の一構成例を示す図である。この番組構成表の例ではコーナー／トピック／サブトピック名、各制御信号の入力タイミングのみを番組構成情報として管理しているが、スケジュール管理部２０２で管理されている番組スケジュール情報を取得し、番組スケジュール情報に記述されているトピックの内容などの情報をマージすることや、信号ＩＤを人物名やテロップの内容に変換して番組構成情報として生成してももちろん良い。図９は図８で表した番組構成情報にスケジュール管理部２０２から取得したスケジュール情報とをマージした結果例であり、実際の番組放送での構成に即した番組構成情報が自動で生成される。また、トピックに含まれる映像切替信号の種別（スタジオカメラ映像、ＶＴＲ映像、中継映像、CM映像等）の出現順序をルール化し、トピック冒頭のスタジオカメラ映像部分は「トピック概要」、その後のＶＴＲ映像部分および中継部分は詳細なトピックレポートである「トピック詳細」、トピック終わりのスタジオ映像は「トピックまとめ」というようなルールを適用することで、１つのトピックをさらに細分化した情報を付与することも可能である。
【００２４】
さらに、実際の番組放送に即した番組構成で自動生成された番組構成情報を番組情報管理部２０のスケジュール登録部２０１へ再登録することにより、スケジュール管理部２０２が番組開始前に用意されたスケジュール情報に上書きして管理保存してもよい。この時、番組開始前に用意されたスケジュール情報を別途保存した上で新しい番組構成情報を管理登録するとしてももちろん良い。
【００２５】
インデックス生成部４０は、表形式などの番組構成情報の生成の他に、作成された番組構成情報に汎用性を持たせるため、情報のＸＭＬ（eXtensible Markup Language）化についても実行する。例えばマルチメディアコンテンツの記述フォーマットとして標準規格であるMPEG-7（Moving Picture Experts Group part7）や、次世代のTVコンテンツ記述フォーマットであるTVAnytime メタデータフォーマットに従って既述することによって、同一システム内だけでなく広い範囲で生成された番組構成情報の相互利用が可能になると考えられる。もちろんＸＭＬファイルの生成は任意であり、実際の放送に即した番組構成情報が作成さえできれば良い場合にはＸＭＬファイルを生成する必要は無い。
【００２６】
以上で説明したように、番組放送で用いられる番組スケジュール情報を基に、番組内で利用される制御信号を検知することによって、実際に放送される番組が番組スケジュール情報に記載されている時間情報通りに進行しない場合でも、番組を構成するコーナー／トピック／サブトピックを特定し、実際の放送時刻で修正した上で番組構成情報を再編集することが可能になる。これにより、実際の番組放送に即した番組構成情報を人手を介することなく正確に作成することが可能になり、番組放送に付随するメタデータ作成における大幅な人手による負荷削減が達せられるという大きなメリットが得られる。さらに番組スケジュール情報に記述されている番組の構成情報（階層情報）を利用するため、コーナー／トピック／サブトピックといった番組の階層表現をも自動的に生成され、この番組の階層表現からダイジェスト再生やシーン再生などに対応したメタデータを作成することが可能になるというメリットが得られる。
【００２７】
（実施の形態２）
既述の実施の形態１においては、スケジュール管理部２０２に事前登録された番組スケジュール情報に記載されているコーナー／トピック／サブトピック単位での制御信号の利用順序（カメラ切替信号とＶＴＲ切替信号とテロップ切替信・・号）について、実際の番組放送においてもその利用順序通りに遵守されることを前提としていた。しかし、実際の番組放送においては、本来のスケジュールから外れ、何らかの原因によって番組スケジュール情報で記述された制御信号スケジュールとは異なる制御信号の利用（カメラワークの変化やテロップ、ＶＴＲ挿入順序の逆転）になることも考えられる。以下ではこのような場合におけるトピック特定処理フローについて説明を行う。
【００２８】
図１０はトピック特定部３０に入力された制御信号（カメラ切替信号、ＶＴＲ切替信号、テロップ切替信号）を信号ＩＤとして表し入力時刻とともに模式化した例である。図１０ではＶＴＲ切替信号ＶＴＲ１０が時刻t0に検知され、続いて時刻t1にスタジオカメラ切替信号StC2、時刻t11 にテロップ切替信号TP1 、時刻t12 にテロップ切替信号TP2 、時刻t2にＶＴＲ切替信号ＶＴＲ1 、時刻t3にスタジオカメラ切替信号StC1が検知されたことを示している。図１０に示した時刻に制御信号がトピック特定部３０に入力された場合の具体的なトピック特定処理動作について図３及び処理フロー図１１とあわせて説明する。
【００２９】
まず最初の入力信号（ＶＴＲ１０）を受けた情報比較部３０１は時刻取得部３０２より現在時刻を取得（Ｓ３１〜Ｓ３３）し、信号種別判定処理にて当該信号がスタジオカメラ切替信号以外であることが判るので（Ｓ３４）、スケジュール管理部２０２への当該信号のシーン情報を参照処理を行う（Ｓ３６）。スケジュール情報を参照することにより、信号ＶＴＲ１０はコーナー名「オープニング」で、シーン階層レベルが「１」ということが特定できる（Ｓ３７，Ｓ３８）。そしてＶＴＲ１０以前に信号は入力されていないため、シーン内容と階層レベルの比較対象が無く、新規のコーナーが始まったことが検知できる（Ｓ３９）。そして当該信号を検知するＮ秒前以内（例えばＮ＝３）に映像切替信号が存在していたかをチェックする（Ｓ４０）。映像切替信号とは、スタジオカメラ切替信号及びＶＴＲ切替信号の何れかを差している。ここでは事前に入力された制御信号が無いため（Ｓ４０においてＮＯ）、信号ＶＴＲ１０の検知時刻t0をコーナーの開始時刻として特定する（Ｓ４２）。そして当該信号の検知時刻が番組の終了時刻を超えているかを確認（Ｓ４３）し、終了時刻を超えていないため、コーナー単位での情報（コーナー名、階層レベル、信号ＩＤ、信号の検知時刻）保持を行い（Ｓ４４）、信号入力待ち状態になる（Ｓ３１）。
【００３０】
次にスタジオカメラ切替信号StC2が入力されると、時刻を取得したあと（Ｓ３３）信号種別判定（Ｓ３４）により、時刻と信号ＩＤ情報が保持され（Ｓ３５）信号入力待ちになる（Ｓ３１）。次にテロップ切替信号TP1 が時刻t11 に検知される（Ｓ３１〜Ｓ３３）。これは信号種別判定処理によりスケジュール管理部２０２へスケジュール情報の参照を実行し、信号TP1 が属するシーン内容がコーナー名「ニュース」、トピック名「事件A・」であり、シーン階層レベルが「２」であることが特定できる（Ｓ３４〜Ｓ３８）。信号TP1 の前に検知した信号ＶＴＲ１０の階層レベルが「１」であったことから、階層レベルが同一ではないため・・（Ｓ３９においてＮＯ）この信号TP1 検知よりＮ秒前以内に映像切替信号が検知されていたかをチェックする（Ｓ４０）。ここでは直前にスタジオカメラ切替信号StC2が時刻t1に検知されているためこの信号StC2の検知時刻t1をトピック「事件Ａ」の開始時刻として特定する（Ｓ４１）。Ｎ秒前以内に複数の映像切替信号が検知されていた場合は、最も早く検知された映像切替信号の検知時刻をコーナー／トピック／サブトピックの開始時刻として特定するなどの手法が考えられる。以降同様の処理を番組終了時刻まで繰り返し、コーナー／トピック／サブトピック単位での特定を行う。特定完了後の情報は、情報比較部３０１がインデックス生成部４０へインデックス生成要求を行うまでの間、保持している。インデックス生成部４０は、インデックス生成要求に従い、トピック特定情報を整形し、必要であればＸＭＬ化を実行する。
【００３１】
上記手法によって、１つの番組内で予め放送されることが決まっているコーナー／トピック／サブトピックが、何らかの理由で放送順序がスケジュール通りに放送されないことや、時間的に延長、短縮などが発生する場合に加えて、カメラ割り・・（カメラワーク）の変更などによるスケジュール通りの制御信号の利用がされなかった場合においても、映像切替信号の検知時刻をコーナー／トピック／サブトピックの切れ目とすることによって、実際の番組放送に即したコーナー／トピック／サブトピックそれぞれの開始及び終了時刻を特定することが可能になる。
以上で説明したように、番組放送で用いられる番組スケジュール情報を基に、番組内で利用される制御信号を検知することによって、実際に放送される番組が番組スケジュール情報に記載されている時間情報通りに進行しない場合に加え、制御信号が何らかの理由でスケジュール情報通りの順序で送出されない場合においても、番組を構成するコーナー／トピック／サブトピックを特定し、実際の放送時刻で修正した上で番組構成情報を再編集することが可能になる。これにより、実際の番組放送に即した番組構成情報を人手を介することなく作成することが可能になり、番組放送に付随するメタデータ作成における大幅な人手による負荷削減が達せられるという大きなメリットが得られる。
【００３２】
（実施の形態３）トピック特定アルゴリズム３
既述の実施の形態２において、スケジュール管理部２０２に事前登録された番組スケジュール情報に記載されているコーナー／トピック／サブトピック単位での制御信号の利用順序（カメラ切替信号とＶＴＲ・ 切替信号とテロップ切替信・・号）通りに実際の番組放送がなされない場合におけるコーナー／トピック／サブトピック特定処理フローについて説明した。しかし、あくまでコーナー／トピック／サブトピックの切れ目には映像切替信号が挿入される（スタジオカメラの切替えやＶＴＲの切替えタイミングとコーナー／トピック／サブトピックの切れ目が一致する）場合においての特定処理であった。実際の番組放送においては、これらコーナー／トピック／サブトピックの切れ目に映像切替え信号を利用しない場合も考えられる。例えば、前トピックが本来のスケジュールよりも押してしまい、本来ならばトピックの切れ目に挟むはずであったＶＴＲ映像を省き、かつ前トピックから後ろトピックへの切り替わり時にスタジオカメラの切替えすら無い場合などである。以下ではこのような場合におけるトピック特定処理フローについて説明を行う。
【００３３】
図１２はトピック特定部３０に入力された制御信号（カメラ切替信号、ＶＴＲ切替信号、テロップ切替信号）を信号ＩＤとして表し入力時刻とともに模式化した例である。図１２ではＶＴＲ切替信号ＶＴＲ１０が時刻t0に検知され、続いて時刻t1にスタジオカメラ切替信号StC1、時刻t11 にテロップ切替信号TP1 、時刻t2にスタジオカメラ切替信号StC2、時刻t21 にテロップ切替信号TP2 、時刻t22 にテロップ切替信号TP3 、時刻t23 にテロップ切替信号TP4 、時刻t3にＶＴＲ切替信号ＶＴＲ2 が検知されたことを示している。図１２に示した時刻に制御信号がトピック特定部３０に入力された場合の具体的なトピック特定処理動作について図３及び処理フロー図１３とあわせて説明する。
【００３４】
まず最初の入力信号（ＶＴＲ１０）を受けた情報比較部３０１は時刻取得部３０２より現在時刻を取得（Ｓ５１〜Ｓ５３）し、信号種別判定処理にて当該信号がスタジオカメラ切替信号以外であることが判るので（Ｓ５４）、スケジュール管理部２０２への当該信号のシーン情報参照処理を行う（Ｓ５６）。スケジュール情報を参照することにより、信号ＶＴＲ１０が属するシーンはコーナー名「オープニング」で、シーン階層レベルが「１」ということが特定できる（Ｓ５７，Ｓ５８）。そしてＶＴＲ１０以前に信号は入力されていないため、シーン内容と階層レベルの比較対象が無く、新規のコーナーが始まったことが検知できる（Ｓ５９）。そして当該信号を検知するＮ秒前以内（例えばＮ＝３）に映像切替信号が存在していたかをチェックする（Ｓ６０）。映像切替信号とは、スタジオカメラ切替信号及びＶＴＲ切替信号の何れかを差している。ここでは事前に入力された制御信号が無く（Ｓ６０においてＮＯ）、またこれより前に無音区間も無いことから信号ＶＴＲ１０の検知時刻をコーナーの開始時刻として特定する（Ｓ６１〜Ｓ６２）。なお、無音区間の検出には制御信号検知部１０において、出演者に付与されるマイクからの音声信号を検知するようにし、トピック特定部３０にこの音声情報（無音か有音か）を通知することにより検出できると考えられる。具体的には情報比較部３０１が入力される音声情報について、直近の無音声区間の時刻を保持することにより実現される。そして当該信号の検知時刻が番組の終了時刻を超えているかを確認（Ｓ６４）し、終了時刻を超えていないため、コーナー単位での情報（コーナー名、階層レベル、信号ＩＤ、信号の検知時刻）保持を行い（Ｓ６５）、信号入力待ち状態になる（Ｓ６１）。
【００３５】
次にスタジオカメラ切替信号StC1が入力されると、時刻を取得したあと（Ｓ５３）信号種別判定（Ｓ５４）により、時刻と信号ＩＤ情報が保持され（Ｓ５５）信号入力待ちになる（Ｓ５１）。次にテロップ切替信号TP1 が時刻t11 に検知される（Ｓ５１〜Ｓ５３）。これは信号種別判定処理によりスケジュール管理部２０２へスケジュール情報の参照を実行し、信号TP1・が属するシーン内容がコーナー名「ニュース」、トピック名「事件Ａ」であり、シーン階層レベルが「２」であることが特定できる（Ｓ５４〜Ｓ５８）。信号TP1 の前に検知した信号ＶＴＲ１０の階層レベルが「１」であったことから、階層レベルが同一ではないため・・（Ｓ５９においてＮＯ）この信号TP1・検知よりＮ秒前以内に映像切替信号が検知されていたかをチェックする（Ｓ６０）。ここでは直前にスタジオカメラ切替信号StC1が時刻t1に検知されているためこの信号StC1の検知時刻t1をトピック「事件Ａ」の開始時刻として特定する（Ｓ６１）。以降同様の処理が続き、テロップ切替信号TP4 が時刻t23 に検知される。これは信号種別判定処理によりスケジュール管理部２０２へスケジュール情報の参照を実行し、信号TP4 が属するシーン内容がコーナー名「ニュース」、トピック名「事件Ｂ」であり、シーン階層レベルが「２」であることが特定できる（Ｓ５４〜Ｓ５８）。信号TP4 の前に検知した信号TP3 のトピック名が「事件Ａ」であったことから、シーン内容が同一ではないため（Ｓ５９においてＮＯ）この信号TP4 検知よりＮ秒前以内に映像切替信号が検知されていたかをチェックする（Ｓ６０）。しかしＮ秒前以内に映像切替信号は検知されていない（t23-t2 >  N ）ため、直近の無音区間を検出し、その無音区間を当該トピック「事件Ｂ」の開始時刻として特定する（Ｓ６２，Ｓ６・・３）。この特定時刻は番組の終了時刻を越えていないため、当該トピックの情報を保持して再度信号入力待ち状態に戻る（Ｓ６４，Ｓ６５，Ｓ５１）。上記の処理を番組終了時刻まで繰り返し、コーナー／トピック／サブトピック単位での特定を行う。特定完了後の情報は、情報比較部３０１がインデックス生成部４０へインデックス生成要求を行うまでの間、保持している。インデックス生成部４０は、インデックス生成要求に従い、トピック特定情報を整形して番組構成情報を生成し、必要であれば情報のＸＭＬ化を実行する。
【００３６】
上記手法によって、１つの番組内で予め放送されることが決まっているコーナー／トピック／サブトピックが、何らかの理由で放送順序がスケジュール通りに放送されないことや、時間的に延長、短縮などが発生する場合に加えて、カメラ（カット）割りの変更などによるスケジュール通りの制御信号の利用がされなかった場合においても、映像切替信号の検知時刻をコーナー／トピック／サブトピックの切れ目とすることによって、実際の番組放送に即したコーナー／トピック／サブトピックそれぞれの開始及び終了時刻を特定することが可能になる。また、コーナー／トピック／サブトピックの切れ目に映像切替信号が用いられなかった場合においても、番組出演者が無音になった部分切れ目である可能性が高いことに着目し、この無音部分を切れ目として利用することで、コーナー／トピック／サブトピック単位の開始終了時刻を推定することが可能になる。
【００３７】
以上で説明したように、番組放送で用いられる番組スケジュール情報を基に、番組内で利用される制御信号を検知することによって、実際に放送される番組が番組スケジュール情報に記載されている時間情報通りに進行しない場合に加え、制御信号が何らかの理由でスケジュール情報通りの順序で送出されない場合や、コーナー／トピック／サブトピックの切れ目に映像切替信号が利用されなかった場合においても、番組を構成するコーナー／トピック／サブトピックを特定し、実際の放送時刻で修正した上で番組構成情報を再編集することが可能になる。これにより、実際の番組放送に即した番組構成情報を人手を介することなく作成することが可能になり、番組放送に付随するメタデータ作成における大幅な人手による負荷削減が達せられるという大きなメリットが得られる。
【００３８】
（実施の形態４）
生放送のニュース番組などにおいて、重大な事件が発生した場合には元々予定していたコーナーやトピックを中断し、緊急トピックとしてこの重大な事件について放送するということがままある。具体的には、元々の番組スケジュールを大幅に変更し、１つのスタジオカメラで事件を説明するアナウンサーを映し続け、合間に資料映像として（元々放送する予定の無かった）ＶＴＲ映像を放送する形などが考えられる。この場合のように、スケジュール情報に無い制御信号が利用されると、既述の実施の形態では対応できない（コーナー／トピック／サブトピックの特定が不可能になる）。ここではこのような場合においても、実際の番組放送に即した番組構成情報を自動生成する手法について説明する。
【００３９】
図１４は、スケジュール管理部２０２において管理されている番組スケジュール情報には記載されていない映像素材（ＶＴＲとテロップ）が、番組放送において利用される場合のシステム構成図である。図４で表したシステム構成図との差異は、トピック特定部３０において情報参照部３０３が新たに設けられたことである。情報参照部３０３は、情報比較部３０１において入力された制御信号に対応するスケジュール情報をスケジュール管理部２０２へ参照した際に対応スケジュール情報が取得できない（見つからない）場合に、当該制御信号に付随する素材情報（メタデータ）を、素材情報管理部７０から取得する機能を持っている。素材情報管理部７０は、ＶＴＲ映像素材やテロップ映像素材など、放送局内で使用される映像素材が一元管理されているデータベースであり、カートマシン５０７やテロップ作成機５０５とオンラインで接続される形態が考えられ、信号ＩＤと素材情報が紐付けられ管理されている。
【００４０】
図１５は、トピック特定部３０に入力された制御信号（カメラ切替信号、ＶＴＲ切替信号、テロップ切替信号）を信号ＩＤとして表し入力時刻とともに模式化した例である。図１５ではＶＴＲ切替信号，ＶＴＲ１０が時刻t0に検知され、続いて時刻t1にスタジオカメラ切替信号StC1、時刻t11 にテロップ切替信号TP1 、時刻t2にスタジオカメラ切替信号StC2、時刻t21 にテロップ切替信号TP2 、時刻t22 にテロップ切替信号TP3 、時刻t3にＶＴＲ切替信号ＶＴＲ１１０が検知されたことを示している。図１５に示した時刻に制御信号がトピック特定部３０に入力された場合の具体的なトピック特定処理動作について図３及び処理フロー図１６とあわせて説明する。
【００４１】
最初の入力信号（ＶＴＲ１０）受信からテロップ切替信号TP3 受信までは実施の形態3 で説明した処理フローと同一のため割愛する。そして情報比較部３０１はＶＴＲ切替信号ＶＴＲ１１０を受信する（Ｓ１０２）と、現在時刻を取得（Ｓ１０３）し、信号種別判定処理によりスケジュール管理部２０２へスケジュール情報の参照を行う。しかし、「ＶＴＲ１１０」という映像素材はスケジュール情報上に記載が無いため、参照NGとなる（Ｓ１０７においてＮＯ）。そして情報参照部３０３に対して当該信号ＩＤ（ＶＴＲ１１０）の情報参照要求を行う（Ｓ１１７）。情報参照部３０３は素材情報管理部７０からこの信号ＩＤに紐付けられる素材情報を取得する（Ｓ１１８）。図１７は素材情報管理部７０で管理されている素材情報の例である。ここでは素材情報として、信号ＩＤ、素材に付与されるタイトル名、素材を表すキーワード、素材収録日時、素材を収録したロケ地から構成される。この他にも、素材出演者、素材の概要をテキスト化した文章、素材有効期限などの項目を追加して管理してももちろん良い。
【００４２】
素材情報を情報参照部３０３から取得した情報比較部３０１は、この制御信号が属するシーンが「緊急」という内容で、かつシーン階層レベルが「０」であるとする（Ｓ１１９）。このときシーン内容を情報参照部３０３から取得した素材情報のタイトル名としても良いし、この段階では「緊急」というシーン内容を付与しておき、後段で「緊急」と付与されているシーン内容部分を該当する素材情報のタイトル名に変更することや、人手によって修正する手法であっても良いし、シーン階層レベルに関しても、通常のコーナー／トピック／サブトピックとの区別がつけられる値であれば「０」に限らない。そして、Ｎ秒前以内（例えばＮ＝３）に映像切替信号を検知しているか確認する（Ｓ１１１）。ここではＮ秒前以内に映像切替信号を検知していないため（Ｓ１１１においてＮＯ）、直近の無音区間を検出し（Ｓ１１３）、当該無音区間をシーン内容「緊急」の開始時刻として決定する（Ｓ１１４）。番組終了時刻を超えていないため当該シーンの情報を保持して信号入力待ち状態に戻る（Ｓ１１６，Ｓ１０１）。この後、さらにスケジュール管理部２０２で管理されているスケジュール情報上に記載されていない制御信号が検知されると、同様の処理を行い、シーン内容が「緊急」ということで処理される。
【００４３】
そして、スケジュール情報上に記載のある制御信号が検知されると、シーン内容「緊急」が終了したものとみなされ、スケジュール情報に従ったコーナー／トピック／サブトピック特定ルーチンに戻る。上記の処理を番組終了時刻まで繰り返し、コーナー／トピック／サブトピック単位での特定に加え、スケジュール情報上に記載の無い制御信号を検知した場合はシーン内容「緊急」として処理を行う。特定完了後の情報は、情報比較部３０１がインデックス生成部４０へインデックス生成要求を行うまでの間、保持している。インデックス生成部４０は、インデックス生成要求に従い、トピック特定情報を整形して番組構成情報を生成し、必要であれば番組構成情報のＸＭＬ化を実行する。図１８はインデックス生成部４０で生成される実際の番組放送に即した番組構成情報の表現例である。図１８では、制御信号ＩＤ「ＶＴＲ１１０」が検知されたシナリオを「緊急」とし、元々放送が予定されていたコーナー／トピック／サブトピックではないことを表している。このように番組スケジュール情報上の情報と、緊急に挿入された映像素材の素材情報を同じ一つの番組構成情報として表現することが可能になる。
【００４４】
上記手法によって、元々の番組放送スケジュールに予定されていなかった緊急ニュースなどが番組中に挿入され、放送局に蓄積されている映像素材を流すなどによって緊急ニュースを放送した場合についても、映像素材の情報を一括管理しているサーバー（データベース）を参照することによって、実際の番組放送に即したコーナー／トピック／サブトピックそれぞれの開始及び終了時刻を特定することに加え、映像素材に付与されている素材情報を取得し、「緊急」情報として扱うことが可能になる。このことによって、従来ならば番組終了後に手作業で緊急に挿入されたニュースについての情報を入力しなければならなかった処理を、実際の緊急ニュースのトピック名への修正程度まで軽減することが可能になるといえる。
【００４５】
（実施の形態５）
元々の番組スケジュール情報には記載されていない制御信号が実際の番組放送に使われた場合の番組構成情報の生成手法について、実施の形態４で説明を行った。しかしこの手法の他にもテロップ映像に対し文字認識を行い、認識結果をテキスト化することや、アナウンサーの話す音声信号を音声認識し、認識結果をテキスト化することで実際の番組放送に即した番組構成情報を生成することを考える。図１９は、番組オンエア映像を取り込んでテロップ映像認識及びアナウンサー音声認識に対応する場合のシステム構成図である。トピック特定部３０内に認識部３０４を設け、編集スイッチ５０を経由して送信される番組オンエア映像を認識部３０４に取り込む。認識部３０４はテロップ映像認識手段とアナウンサー音声認識手段を具備している。情報比較部３０１は、情報参照部３０３への制御信号の属性情報取得要求に失敗した場合に認識部に対して認識処理要求（テロップ映像認識及び音声認識）を行う。認識処理要求を受けた認識部３０４は、入力されている放送映像からテロップ部分を分離し、認識処理を行い結果をテキスト化する。認識処理が完了すると情報比較部３０１は、当該制御信号の検知時刻とともに認識結果たるテロップ映像のテキスト情報を管理する。認識部３０４は、情報比較部３０１からの認識処理要求に従って認識処理を実行するでも良いし、常に情報比較部３０１とは排他に認識処理を行い、情報比較部３０１からの認識結果取得要求に従って認識結果を渡すとしても良い。音声認識にしても同様の処理を行い、認識結果を情報比較部３０１が取得し、制御信号の検知時刻とともに認識結果たるアナウンサーの発言内容テキスト情報を管理する。
【００４６】
この認識処理で取得されたテキスト情報は、スケジュール管理部２０２から取得する番組スケジュール情報と加えて番組構成情報としてマージし、インデックス生成部４０へインデックス生成要求を行うことによってインデックス化される。
【００４７】
以上のように、本発明ではニュース番組などに代表される生放送番組でのコーナー・トピックの延長や短縮、移動、差し替えなどの流動編成に対応した実際の番組放送に即した番組構成情報を再構成することに加え、アナウンサーの発話内容やテロップそのものも文字列の情報までをも番組構成情報に付与することが可能となり、従来の人手による番組構成情報およびメタデータの作成に比べて大幅な負荷削減が達成される。
【００４８】
なお上述した各々の実施の形態は、本発明の理解を容易にするために例示的に記載したものであり、本発明の技術的範囲を限定するものではない。本発明は、技術的範囲に属する全ての実施の形態を含み、いかなる均等物をも含むものである。
【産業上の利用可能性】
【００４９】
放送局の番組放送において、制御信号を検知し、番組スケジュール情報と比較することによって、実際に放送中の番組映像と事前に作成された番組スケジュール情報との間の同期が実現される。これによって、ニュース番組などに代表される生放送番組でのコーナー・トピックの延長や短縮、移動、差し替えなどの流動編成に対応した実際の番組放送に即した番組構成情報を再構成することが可能になる。さらには番組スケジュール情報には番組を構成するシーンの階層情報が含まれているため、番組スケジュール情報を利用することにより、シーンの階層化についても流用することが可能になる。つまりは既存の番組スケジュール情報を生かしつつ、実際の番組放送スケジュールに即した情報に再編成することが自動的に行われるため、人手による番組構成情報およびメタデータの作成に比べて大幅な負荷削減が達成される。
【図面の簡単な説明】
【００５０】
【図１】本発明の第１の実施の形態に係るインデックス付与システムの概略構成を示すブロック図
【図２】前記第１の実施の形態において放送局などでインデックス付与システムを実現するためのブロック構成図
【図３】前記第１の実施の形態において番組の収録・放送時に用いられる番組スケジュール情報の一構成例を示した図
【図４】前記第１の実施の形態においてインデックス付与システムの詳細なブロック構成図
【図５】前記第１の実施の形態において情報比較部に入力される制御信号の入力状況を模式化した図
【図６】前記第１の実施の形態において制御信号の入力からトピックの特定までの処理を説明するフローチャート
【図７】前記第１の実施の形態においてスケジュール管理部から取得するスケジュール情報と情報比較部で保持する情報との比較を説明した図
【図８】前記第１の実施の形態においてトピックを特定した結果生成される、実際の番組放送に即した番組構成情報の一例を示した図
【図９】図８で示した番組構成情報に、番組スケジュール情報の情報をマージした番組構成情報の一例を示した図
【図１０】本発明の第２の実施の形態において情報比較部に入力される制御信号の入力状況を模式化した図
【図１１】前記第２の実施の形態において制御信号の入力からトピックの特定までの処理を説明するフローチャート
【図１２】本発明の第３の実施の形態において情報比較部に入力される制御信号の入力状況を模式化した図
【図１３】前記第３の実施の形態において制御信号の入力からトピック特定までの処理を説明するフローチャート
【図１４】本発明の第４の実施の形態においてインデックス付与システムの詳細なブロック構成図
【図１５】前記第４の実施の形態において情報比較部に入力される制御信号の入力状況を模式化した図
【図１６】前記第４の実施の形態において制御信号の入力からトピック特定までの処理を説明するフローチャート
【図１７】前記第４の実施の形態において素材情報管理部が管理する素材情報の一例を示した図
【図１８】前記第４の実施の形態において番組スケジュール情報に記載の無い緊急ニュースが番組に挿入された場合の、実際の番組放送に即した番組構成情報の一例を表した図
【図１９】本発明の第５の実施の形態においてインデックス付与システムの詳細なブロック構成図
【図２０】本発明の説明にあたり、シーン及びコーナー、トピック、サブトピックという用語の解説を示した図
【符号の説明】
【００５１】
１  インデックス付与システム
１０  制御信号検知部
２０  番組情報管理部
３０  トピック特定部
４０  インデックス生成部
５０  編集スイッチ
６０  表示装置
７０  素材情報管理部
２０１  スケジュール登録部
２０２  スケジュール管理部
３０１  情報比較部
３０２  現在時刻取得部
３０３  情報参照部
３０４  認識部
５０１  カメラ切替スイッチ
５０２  ＶＴＲ切替スイッチ
５０３  テロップ切替スイッチ
５０４  テロップ発生機
５０５  テロップ作成機
５０６  ＶＴＲ制御機
５０７  ＶＴＲ編集機
５０８  中継制御機
５２０  スタジオカメラ
【図１】
2005204159.tif 000003
【図２】
2005204159.tif 000004
【図３】
2005204159.tif 000005
【図４】
2005204159.tif 000006
【図５】
2005204159.tif 000007
【図６】
2005204159.tif 000008
【図７】
2005204159.tif 000009
【図８】
2005204159.tif 000010
【図９】
2005204159.tif 000011
【図１０】
2005204159.tif 000012
【図１１】
2005204159.tif 000013
【図１２】
2005204159.tif 000014
【図１３】
2005204159.tif 000015
【図１４】
2005204159.tif 000016
【図１５】
2005204159.tif 000017
【図１６】
2005204159.tif 000018
【図１７】
2005204159.tif 000019
【図１８】
2005204159.tif 000020
【図１９】
2005204159.tif 000021
【図２０】
2005204159.tif 000022